(57)【要約】【課題】赤外線ゲートウエイ装置を介して、移動端末が所望の宛先ノードにアクセすることを可能にする赤外線通信システムにおいて、従来よりも広範なサービスを提供すること。【解決手段】本発明による赤外線通信システムは、赤外線通信をすることが可能な移動端末と、通信ネットワークに接続され、インターネット・プロトコルに従う情報通信をすることが可能な赤外線ゲートウエイ装置とを有する。前記移動端末は、複数のプロトコルの中から選択した所望のプロトコル及び所望の宛先ノードに関する情報を前記赤外線ゲートウエイ装置に通知する手段を有する。前記赤外線ゲートウエイ装置は、前記移動端末の代わりに、前記通信ネットワークを通じて前記宛先ノードとの間で、前記所望のプロトコルに基づく情報通信を行い、前記情報通信の結果に基づいて作成した赤外線信号を前記移動端末に送信する手段を有する。【選択図】      図１
2004165984.tif 000002
【特許請求の範囲】
【請求項１】
赤外線通信をすることが可能な移動端末と、通信ネットワークに接続され、インターネット・プロトコルに従う情報通信をすることが可能な赤外線ゲートウエイ装置とを有する赤外線通信システムにおいて、
前記移動端末が、複数のプロトコルの中から選択した所望のプロトコル及び所望の宛先ノードに関する情報を前記赤外線ゲートウエイ装置に通知する手段を有し、
前記赤外線ゲートウエイ装置が、前記移動端末の代わりに、前記通信ネットワークを通じて前記宛先ノードとの間で、前記所望のプロトコルに基づく情報通信を行い、前記情報通信の結果に基づいて作成した赤外線信号を前記移動端末に送信する手段を有する
ことを特徴とする赤外線通信システム。
【請求項２】
移動端末との間で赤外線通信をすることが可能であり、通信ネットワークに接続され、インターネット・プロトコルに従う情報通信をすることが可能な赤外線ゲートウエイ装置であって、
複数のプロトコルの中から選択された所望のプロトコル及び所望の宛先ノードに関する情報を、前記移動端末から受信する手段、
前記移動端末の代わりに、前記通信ネットワークを通じて前記宛先ノードとの間で、前記所望のプロトコルに基づく情報通信を行い、前記情報通信の結果に基づいて作成した赤外線信号を前記移動端末に送信する手段を有する
ことを特徴とする赤外線ゲートウエイ装置。
【請求項３】
前記移動端末の機種情報を前記移動端末から受信するよう形成されることを特徴とする請求項２記載の赤外線ゲートウエイ装置。
【請求項４】
前記赤外線ゲートウエイ装置から前記移動端末に送信すべきデータ量が所定の大きさを越える場合に、各々が前記所定の大きさ以下になるような複数の赤外線信号を作成する手段を有することを特徴とする請求項２記載の赤外線ゲートウエイ装置。
【請求項５】
赤外線通信をすることが可能な移動端末と、通信ネットワークに接続され、インターネット・プロトコルに従う情報通信をすることが可能な赤外線ゲートウエイ装置とを有する通信システムにおいて使用される赤外線通信プログラムであって、
前記移動端末が、複数のプロトコルの中から選択した所望のプロトコル及び所望の宛先ノードに関する情報を前記赤外線ゲートウエイ装置に通知する通知ステップと、
前記赤外線ゲートウエイ装置が、前記移動端末の代わりに、前記通信ネットワークを通じて前記宛先ノードとの間で、前記所望のプロトコルに基づく情報通信を行うステップと、
前記情報通信の結果に基づいて作成した赤外線信号を前記移動端末に送信する送信ステップ
を行わせることを特徴とする赤外線通信プログラム。
【発明の詳細な説明】
【０００１】
【発明の属する技術分野】
本発明は、赤外線通信システム、赤外線ゲートウエイ装置、赤外線通信方法及び赤外線通信プログラムに関する。
【０００２】
【従来の技術】
近年の携帯電話機のような移動端末は、インターネット上のウェブページにアクセスすることが可能である。これは、そのようなアクセス時に通信事業者の設けた専用のゲートウエイ装置を経由させることで、移動端末が所望のウェブサーバへアクセスすることを可能にするものである。この場合に、移動端末のユーザは、通信の開始から終了に至るまでの総ての通信費用を負担しなければならない。また、移動端末の通信容量等に起因して、この通信には、しばしば長時間を要してしまう。このため、インターネットを通じた通信を行う際に、移動端末のユーザは、コスト及び通信時間等の観点から必ずしも有利でないという問題点がある。
【０００３】
これに対して、移動端末と赤外線通信を行うことが可能であって、赤外線通信の動作とは無関係にウェブページにアクセスすることの可能な情報処理装置を用意し、この情報処理装置にウェブページの取得等を代行させるという技術がある。これは、ダウンロード先であるパーソナル・ディジタル・アシスタント（ＰＤＡ）等に大きな負担をかけることなく、ウェブページのデータをスムーズにダウンロードしようとするものである（例えば、特許文献１参照。）。
【０００４】
【特許文献１】
特開平１１−１５７６１号公報
【０００５】
【発明が解決しようとする課題】
上記従来技術によれば、ハイパーテキスト・トランスファ・プロトコル（ＨＴＴＰ）に準拠する情報通信を行って、ウェブページのダウンロードを行うことは可能である。しかしながら、ＨＴＴＰ以外の他のプロトコルに基づく情報通信について、充分に配慮されているとは言えない。例えば、移動端末のユーザは、ユーザの必要に応じてアプリケーションをインターネットからインストールし、ユーザの趣向に応じた様々な機能を移動端末に導入することが可能である。しかしながら、このような移動端末にインストールすることの可能なアプリケーションは、ＨＴＴＰプロトコルに準拠するものしかなく、それ以外のプロトコルに対応するアプリケーションについては充分にサポートされていない。インターネット上にはＨＴＴＰだけでなく様々なプロトコルに従う通信ノードも存在するが、目下のところ移動端末を利用するユーザに提供することの可能なサービスの種類は、ＨＴＴＰに関するものに制限されている。
【０００６】
なお、移動端末にて、電子メールのようなＨＴＴＰ以外のプロトコルに基づく情報通信を行うこと自体は、一定条件の下に可能である。そのためには、インターネットを経由して事後的にインストールするアプリケーションではなく、専用のアプリケーションを事前に移動端末に装備しておく必要があり、更には、通信事業者が専用に設ける特殊な設備（無線ゲートウエイ装置）の利用を必要とする。しかしながら、ユーザの趣向に合わせて様々なサービス提供を行うために、多種多様なアプリケーションを移動端末に事前に装備することは、メモリ資源の有効利用等の観点から困難である。仮に装備できたとしても、総てのユーザが、それら多くのアプリケーションを有意義に使用するとは限らない。
【０００７】
したがって、携帯電話機のような限られた容量しか有しない装置に、ＨＴＴＰだけでなくそれ以外のプロトコルを使用する様々なサービスを提供することは、従来技術では困難である。
【０００８】
本願の課題は、赤外線通信をすることの可能な移動端末が、赤外線ゲートウエイ装置を介して所望の宛先ノードにアクセすることを可能にする赤外線通信システムにおいて、従来よりも広範なサービス提供を可能にする赤外線通信システム、赤外線ゲートウエイ装置、赤外線通信方法及び赤外線通信プログラムを提供することである。
【０００９】
【課題を解決するための手段】
本発明によれば、
赤外線通信をすることが可能な移動端末と、通信ネットワークに接続され、インターネット・プロトコルに従う情報通信をすることが可能な赤外線ゲートウエイ装置とを有する赤外線通信システムにおいて、
前記移動端末が、複数のプロトコルの中から選択した所望のプロトコル及び所望の宛先ノードに関する情報を前記赤外線ゲートウエイ装置に通知する手段を有し、
前記赤外線ゲートウエイ装置が、前記移動端末の代わりに、前記通信ネットワークを通じて前記宛先ノードとの間で、前記所望のプロトコルに基づく情報通信を行い、前記情報通信の結果に基づいて作成した赤外線信号を前記移動端末に送信する手段を有する
ことを特徴とする赤外線通信システム
が、提供される。
【００１０】
【発明の実施の形態】
図１は、本願実施例による赤外線通信システムの概略的な全体図を示す。赤外線通信システム１００は、例えば携帯電話機である移動端末１０２と、移動端末１０２と赤外線通信を行うことの可能な赤外線ゲートウエイ１０４とを有する。赤外線通信は、例えば、オベックス（ＯＢＥＸ）のようなプロトコルに基づいて行われる。赤外線ゲートウエイ１０４は、有線の接続回線１０６によりインターネット網１０８に接続され、ＴＣＰ／ＩＰ（Ｔｒａｎｓｍｉｓｓｉｏｎ  Ｃｏｎｔｒｏｌ  Ｐｒｏｔｏｃｏｌ／Ｉｎｔｅｒｎｅｔ  Ｐｒｏｔｏｃｏｌ）に基づく情報通信を行うことが可能である。インターネット網１０８には、図示されてはいないが様々なアクセスノードが接続され、例えば、赤外線ゲートウエイ装置１０４の情報通信の相手ノードとなり得るサーバ１１０が接続されている。
【００１１】
移動端末１０２は、所望の宛先ノードとなるサーバ１１０にアクセスする際に、宛先ノードとの情報通信に使用されるプロトコルと、宛先ノードのＵＲＬ又は場所を示す識別情報その他必要な情報を、赤外線ゲートウエイ装置１０４に赤外線信号を利用して伝送する。赤外線信号を利用した無線通信は、例えば２０〜３０ｃｍのような近距離の区間で行われる。赤外線ゲートウエイ装置１０４は、移動端末１０２に代わって、宛先ノード１１０と情報通信を行う。この情報通信は、移動端末により特定されたプロトコルに基づいて行われる。情報通信の結果として取得された情報は、赤外線信号を利用して、移動端末に伝送される。例えば、移動端末１０２が、サーバ１１０のウェブページの取得を要求したのであれば、赤外線ゲートウエイ装置１０４がその取得を代行し、取得したウェブページに関する情報を移動端末に送信する。
【００１２】
図２は、赤外線通信システムで使用される移動端末の主要な機能に関するブロック図を示す。移動端末１０２は、赤外線ゲートウエイ装置１０４に送信する送信信号を作成する送信信号作成手段２０２を有する。送信信号には、複数のプロトコルの中から選択された所望のプロトコルと、宛先ノードのＵＲＬ（Ｕｎｉｆｏｒｍ  Ｒｅｓｏｕｒｃｅ  Ｌｏｃａｔｏｒ）又は場所を示す識別情報と、そこにアクセスしてどのような処理を行うかを示すコマンドその他必要な情報が含まれる。例えば、ウェブページの閲覧を行う場合には、使用するプロトコルがＨＴＴＰであること、ウェブページのＵＲＬ、及びそのページを取得することを示すコマンドが送信信号に含まれる。閲覧の際に身元確認が行われるような場合には、氏名、住所、識別番号等の身元情報も送信信号に含められる。電子メールの受信を行う場合には、プロトコルがＰＯＰ又はＳＭＴＰであること、電子メールの保存されているサーバ等を示すＵＲＬ、電子メールの取得を示すコマンドが含まれる。また、電子メールの送信を行う場合には、宛先ノードのＵＲＬ、電子メールを送信することを示すコマンドに加えて、送信する内容も送信信号に含まれる。ファイル転送によりディジタル・コンテンツの配信を行う場合には、プロトコルがＦＴＰであること、宛先ノードのＵＲＬ、配信を希望することを示すコマンド等が送信信号に含まれる。このように、送信信号作成手段２０２では、インターネット１０８を通じて所望の宛先ノードと通信を行うのに必要な情報が、赤外線ゲートウエイ装置１０４に通知されるように、送信信号が作成される。
【００１３】
移動端末１０２は、送信信号作成手段２０２にて作成された送信信号を、赤外線信号としてアンテナ２０６から送信する送信手段２０４を有する。また、移動端末１０２は、赤外線ゲートウエイ装置１０４からの赤外線信号をアンテナ２０６を通じて受信する受信手段２０８を有する。なお、移動端末が、赤外線通信とは異なる無線通信を行う場合の送信手段、受信手段及びアンテナは、２０４，２０６，２０８を兼用しても良いし、別個に設けても良い。更に、移動端末１０２は、赤外線ゲートウエイ装置１０４から受信した受信信号から所望のデータの抽出、合成等の信号処理を行う信号処理手段２１０を有する。
【００１４】
図３は、赤外線通信システムで使用される赤外線ゲートウエイ装置の主要な機能に関するブロック図を示す。赤外線ゲートウエイ装置１０４は、アンテナ３０２を通じて、移動端末からの赤外線信号を受信する受信手段３０４を有する。赤外線ゲートウエイ装置１０４は、移動端末の指定したプロトコル、宛先ノードのＵＲＬ又は場所、コマンド等の情報を抽出する信号処理手段３０６を有する。この情報は、移動端末に代わって所望の宛先ノードと通信を行う通信手段３０８に与えられる。
【００１５】
一方、赤外線ゲートウエイ装置１０４は、宛先ノードとの情報通信の結果として取得した情報を、移動端末に送信するための送信信号を作成する。この送信信号は、送信信号作成手段３１０にて作成される。移動端末との赤外線通信では、所定のサイズの信号が送信される。しかしながら、移動端末に送信すべき信号の情報量が、１回の赤外線通信における所定のサイズを越える場合には、移動端末に適切に送信することが困難になる。この場合には、送信信号作成手段３１０にて、移動端末に送信すべき情報を分割して複数個の送信信号を作成し、各送信信号が上記の所定のサイズを超えないようにする。このようにして作成された送信信号は、送信手段３１２及びアンテナ３０２を通じて移動端末に送信される。
【００１６】
図４は、赤外線ゲートウエイ装置の通信手段におけるプログラムの概念図を示す。図示されるように、通信手段３０８における主な動作は、代理クライアント・マネジメント・プログラム４０２と、代理クライアント・プログラム４０４により制御される。代理クライアント・マネジメント・プログラム４０２は、代理クライアント・プログラム４０４を起動させることに加えて、信号処理手段３０６及び信号作成手段３１０のような手段と通信を行うのに必要な動作も制御する。代理クライアント・プログラム４０４は、多数のプログラム４０６ないし４１６を含む。ＨＴＴＰ代理クライアント・プログラム４０６は、通信手段３０８が、所望の宛先ノードとＨＴＴＰプロトコルに基づく情報通信を行うことを可能にするプログラムである。これは、例えばウェブページへのアクセスを可能にする。ＨＴＴＰＳ代理クライアント・プログラム４０８は、ＨＴＴＰＳプロトコルに基づく情報通信を可能にし、例えば暗号化機能を付加してＨＴＴＰの情報通信を行うことを可能にする。ＰＯＰ代理クライアント・プログラム４１０及びＳＭＴＰ代理クライアント・プログラム４１２は、ＰＯＰプロトコル及びＳＭＴＰプロトコルに基づく情報通信を可能にし、例えば電子メールの送受信を可能にする。ＮＴＴＰ代理クライアント・プログラム４１４は、ＮＴＴＰプロトコルに基づく情報通信を可能にし、例えば電子ニュースの配信サービスを可能にする。ＦＴＰ代理クライアント・プログラム４１６は、ＦＴＰプロトコルに基づく情報通信を可能にし、例えばファイル転送を可能にする。
【００１７】
代理クライアント・プログラム４０４は、代理クライアント・マネジメント・プログラム４０２からの指示に応じて、信号処理手段３０６で抽出したプロトコルに関連する代理クライアント・プログラムを走らせる。例えば、信号処理手段３０８で抽出したプロトコルがＨＴＴＰであれば、代理クライアント・マネジメント・プログラム４０２は、ＨＴＴＰ代理クライアント・プログラム４０６を起動させる。同様に、代理クライアント・マネジメント・プログラム４０２は、信号処理作成手段３０８から通知されたプロトコルが、ＨＴＴＰＳであればＨＴＴＰＳ代理クライアント・プログラム４０８を、ＰＯＰであればＰＯＰ代理クライアント・プログラム４１０を、ＳＭＴＰであればＳＭＴＰ代理クライアント・プログラム４１２を、ＮＴＴＰであればＮＴＴＰ代理クライアント・プログラム４１４を、そして、ＦＴＰであればＦＴＰ代理クライアント・プログラム４１６を起動させる。このように、代理クライアント・プログラム４０４は、総てが同時に起動されるのではなく、移動端末の指定したプロトコルに対応するもののみが、代理クライアント・マネジメント・プログラム４０２の制御の下に起動される。
【００１８】
適切な代理クライアント・プログラムが起動すると、代理クライアント・マネジメント・プログラム４０２は、情報通信に必要な情報を提供する。起動した代理クライアント・プログラムは、宛先ノードとインターネットを通じて通信を行い、その結果受信した信号を代理クライアント・マネジメント・プログラム４０２に転送する。この信号は、更に送信信号作成手段３１０に転送される。
【００１９】
図５は、本願実施例による赤外線通信システムにおける動作を表すフローチャートを示す。ステップ５０２に示されるように、移動端末１０２は、必要なアプリケーションをインターネットを通じてインストールする。より具体的には、移動端末１０２に内蔵されているブラウザを利用して、インターネット上の所定のアプリケーション・サーバにアクセスする。このアプリケーション・サーバには、移動端末１０２が利用することの可能な多種多様なアプリケーションが蓄積されている。本実施例では、プロトコルの種類も多数用意されるので、インストール可能なアプリケーションに対する多数の選択肢をユーザに与えることが可能である。ユーザは、多数の選択肢の中から必要なアプリケーションを選択し、自身の移動端末１０２にインストールする。このインストールの時点では、赤外線通信ではなく、通信事業者の通信経路を直接的に使用することになる。移動端末は、インストールされたアプリケーションを利用して、赤外線ゲートウエイ装置１０４への送信信号を作成及び送信することが可能になり、赤外線ゲートウエイ装置１０４を経由して、インターネットに接続されている所望の宛先ノードとの情報通信を行うことが可能になる。
【００２０】
ステップ５０４に示されるように、移動端末１０２は、インストールしたアプリケーションを使用して所望の情報通信を行うために、プロトコル、宛先ノード、コマンド等を含む送信信号を作成し、赤外線ゲートウエイ装置１０４に赤外線を通じて送信する。したがって、移動端末１０２は、上記ステップ５０２のインストールのときとは異なり、少なくともこの時点で、赤外線通信が可能な程度（例えば、数十ｃｍの距離）に、赤外線ゲートウエイ装置１０４の近くに位置している必要がある。なお、説明の便宜上、移動端末１０２がウェブページを閲覧することを想定する。この場合に、送信信号には、プロトコルがＨＴＴＰであること、宛先ノードのＵＲＬ及びウェブページを取得すべきことを示すコマンド等が含まれている。
【００２１】
ステップ５０６に示されるように、赤外線ゲートウエイ装置１０４は、移動端末１０２から受信した赤外線信号を信号処理手段３０６にて分析する。そして、プロトコル、宛先ノード、コマンド等を抽出する。
【００２２】
ステップ５０８に示されるように、これらの情報は、通信手段３０８に転送され、代理クライアント・マネジメント・プログラム４０２による制御の下に、ＨＴＴＰ代理クライアント・プログラム４０６が起動する。
【００２３】
ステップ５１０，５１２に示されるように、ＨＴＴＰ代理クライアント・プログラム４０６は、代理クライアント・マネジメント・プログラム４０２から宛先ノード及びコマンドの通知を受け、所望の宛先ノードにアクセスし、ウェブページを取得する。
【００２４】
ステップ５１４に示されるように、赤外線ゲートウエイ装置１０４は、取得したウェブページを移動端末１０２に送信するための送信信号を作成する。移動端末１０２に送信すべき情報量が、１回の赤外線通信の制限容量を超える場合には、複数に分割して各信号の情報量が制限容量を超えないようにする。
【００２５】
ステップ５１６に示されるように、このようにして作成された送信信号は、赤外線信号として移動端末１０２に送信される。図示している例では、３回に分けて送信されている。
【００２６】
ステップ５１８に示されるように、必要に応じて、移動端末１０２は更なる信号を赤外線ゲートウエイ装置１０４に送信する。例えば、取得したウェブページに示されているリンク先にジャンプすることを希望する場合に、移動端末１０２がそのリンク先のＵＲＬを赤外線ゲートウエイ装置１０４に送信することがあり得る。また、取得したウェブページに、検索する文字列を入力するために、その文字列の情報を送信することもあり得る。要するに、宛先ノード１１０との情報通信に必要な情報が赤外線ゲートウエイ装置１０４に送信される。以後、同様な処理が行われる。
【００２７】
図示した例では、移動端末と赤外線ゲートウエイ装置は１対１の関係であったが、本発明はこのような形態に限定されず、例えば複数の移動端末が同じ赤外線ゲートウエイ装置と通信を行うようにすることも可能である。このような場合に、赤外線ゲートウエイ装置１０４は、どの移動端末とどのような通信を行うかを区別する必要がある。このため、例えば、移動端末から赤外線ゲートウエイ装置への送信信号にアプリケーションＩＤを含めることが有利である。このアプリケーションＩＤは、移動端末がアプリケーション・サーバからアプリケーションをダウンロードしたときに固有に付与される識別情報である。
【００２８】
また、移動端末の機種によって、画面サイズや、データの処理能力は異なる。そこで、移動端末からの送信信号に移動端末の機種に関する情報を包含させ、赤外線ゲートウエイ装置１０４にて作成される送信信号が、移動端末に対して適切なデータとなるようにすることが有利である。これにより、例えば、赤外線ゲートウエイ装置１０４は、赤外線通信の規格によれば１回で通信することが許容されるデータ量であったとしても、移動端末のデータ処理能力に合わせて、複数回に分けて赤外線信号を送信することが可能になる。
【００２９】
上記の実施例では、ウェブページの取得を例にとって説明したが、本発明は任意のプロトコルに基づく情報通信に利用することが可能である。例えば、音楽ソフトの販売店にて、店頭に赤外線ゲートウエイ装置を設置し、プロモーションビデオのようなディジタル・コンテンツをインターネット上のＦＴＰサーバに保存しておく。そして、店頭の顧客の要望に応じて、顧客の移動端末に、ＦＴＰプロトコルを利用した情報配信を行わせることが可能である。また、飲食店のような店頭に赤外線ゲートウエイ装置を設け、この装置を通じて顧客の移動端末から電子メールを送受信することも可能である。
【００３０】
以上本願実施例によれば、複数のプロトコルの中から所望のプロトコルを選択して情報通信を行うことができるので、従来よりも広範なサービス提供が可能になる。インターネットを通じた所望の宛先ノードとの通信は、赤外線ゲートウエイ装置が行い、移動端末は赤外線ゲートウエイ装置と通信を行うので、インターネットを通じた通信は迅速に行われ、通信時間が長期化することを抑制できる。また、アプリケーションのインストールのステップ５０２以降は、移動端末は赤外線通信しか行わないので、赤外線ゲートウエイ装置と宛先ノードとの間の通信費用を例えば事業者が負担する場合には、移動端末のユーザは無料で通信を行うことが可能になる。従って、携帯端末のようにデータの送受信能力に制約のある場合であっても、時間的及び経済的な負担を軽減することが可能になる。
【００３１】
以下、本発明により教示される手段を列挙する。
【００３２】
（付記１）  赤外線通信をすることが可能な移動端末と、通信ネットワークに接続され、インターネット・プロトコルに従う情報通信をすることが可能な赤外線ゲートウエイ装置とを有する赤外線通信システムにおいて、
前記移動端末が、複数のプロトコルの中から選択した所望のプロトコル及び所望の宛先ノードに関する情報を前記赤外線ゲートウエイ装置に通知する手段を有し、
前記赤外線ゲートウエイ装置が、前記移動端末の代わりに、前記通信ネットワークを通じて前記宛先ノードとの間で、前記所望のプロトコルに基づく情報通信を行い、前記情報通信の結果に基づいて作成した赤外線信号を前記移動端末に送信する手段を有する
ことを特徴とする赤外線通信システム。
【００３３】
（付記２）  前記移動端末が、前記移動端末の機種情報を前記赤外線ゲートウエイ装置に通知するよう形成されることを特徴とする付記１記載の赤外線通信システム。
【００３４】
（付記３）  前記赤外線ゲートウエイ装置から前記移動端末に送信すべきデータ量が所定の大きさを越える場合に、各々が前記所定の大きさ以下になるような複数の赤外線信号を作成する手段を有することを特徴とする付記１記載の赤外線通信システム。
【００３５】
（付記４）  移動端末との間で赤外線通信をすることが可能であり、通信ネットワークに接続され、インターネット・プロトコルに従う情報通信をすることが可能な赤外線ゲートウエイ装置であって、
複数のプロトコルの中から選択された所望のプロトコル及び所望の宛先ノードに関する情報を、前記移動端末から受信する手段、
前記移動端末の代わりに、前記通信ネットワークを通じて前記宛先ノードとの間で、前記所望のプロトコルに基づく情報通信を行い、前記情報通信の結果に基づいて作成した赤外線信号を前記移動端末に送信する手段を有する
ことを特徴とする赤外線ゲートウエイ装置。
【００３６】
（付記５）  前記移動端末の機種情報を前記移動端末から受信するよう形成されることを特徴とする付記４記載の赤外線ゲートウエイ装置。
【００３７】
（付記６）  前記赤外線ゲートウエイ装置から前記移動端末に送信すべきデータ量が所定の大きさを越える場合に、各々が前記所定の大きさ以下になるような複数の赤外線信号を作成する手段を有することを特徴とする付記４記載の赤外線ゲートウエイ装置。
【００３８】
（付記７）  赤外線通信をすることが可能な移動端末と、通信ネットワークに接続され、インターネット・プロトコルに従う情報通信をすることが可能な赤外線ゲートウエイ装置とを有する通信システムにおける赤外線通信方法であって、前記移動端末が、複数のプロトコルの中から選択した所望のプロトコル及び所望の宛先ノードに関する情報を前記赤外線ゲートウエイ装置に通知を行う通知ステップと、
前記赤外線ゲートウエイ装置が、前記移動端末の代わりに、前記通信ネットワークを通じて前記宛先ノードとの間で、前記所望のプロトコルに基づく情報通信を行うステップと、
前記情報通信の結果に基づいて作成した赤外線信号を前記移動端末に送信する送信ステップ
より成ることを特徴とする赤外線通信方法。
【００３９】
（付記８）  前記通知ステップにおいて、前記移動端末の機種情報も前記赤外線ゲートウエイ装置に通知することを特徴とする付記７記載の赤外線通信方法。
【００４０】
（付記９）  前記送信ステップが、前記赤外線ゲートウエイ装置から前記移動端末に送信すべきデータ量が所定の大きさを越える場合に、各々が前記所定の大きさ以下になるような複数の赤外線信号を作成し、それらを前記移動端末に送信するステップより成ることを特徴とする付記７記載の赤外線通信方法。
【００４１】
（付記１０）  前記通知ステップの前に、赤外線通信による経路とは異なる通信経路でインターネット網に接続し、前記通知を可能にするアプリケーションを前記移動端末にインストールするステップを行うことを特徴とする付記７記載の赤外線通信方法。
【００４２】
（付記１１）  赤外線通信をすることが可能な移動端末と、通信ネットワークに接続され、インターネット・プロトコルに従う情報通信をすることが可能な赤外線ゲートウエイ装置とを有する通信システムにおいて使用される赤外線通信プログラムであって、
前記移動端末が、複数のプロトコルの中から選択した所望のプロトコル及び所望の宛先ノードに関する情報を前記赤外線ゲートウエイ装置に通知する通知ステップと、
前記赤外線ゲートウエイ装置が、前記移動端末の代わりに、前記通信ネットワークを通じて前記宛先ノードとの間で、前記所望のプロトコルに基づく情報通信を行うステップと、
前記情報通信の結果に基づいて作成した赤外線信号を前記移動端末に送信する送信ステップ
を行わせることを特徴とする赤外線通信プログラム。
【００４３】
（付記１２）  前記通知ステップにおいて、前記移動端末の機種情報も前記赤外線ゲートウエイ装置に通知させることを特徴とする付記１１記載の赤外線通信プログラム。
【００４４】
（付記１３）  前記送信ステップにおいて、前記赤外線ゲートウエイ装置から前記移動端末に送信すべきデータ量が所定の大きさを越える場合に、各々が前記所定の大きさ以下になるような複数の赤外線信号を作成させることを特徴とする付記１１記載の赤外線通信プログラム。
【００４５】
【発明の効果】
以上のように本発明によれば、赤外線通信をすることの可能な移動端末が、赤外線ゲートウエイ装置を介して所望の宛先ノードにアクセすることを可能にする赤外線通信システムにおいて、従来よりも広範なサービスを提供することが可能になる。
【００４６】
【図面の簡単な説明】
【図１】図１は、本願実施例による赤外線通信システムの全体図を示す。
【図２】図２は、赤外線通信システムで使用される移動端末の主要な機能に関するブロック図を示す。
【図３】図３は、赤外線通信システムで使用される赤外線ゲートウエイ装置の主要な機能に関するブロック図を示す。
【図４】図４は、赤外線ゲートウエイ装置の通信手段におけるプログラムの概念図を示す。
【図５】図５は、本願実施例による赤外線通信システムにおける動作を表すフローチャートを示す。
【符号の説明】
１００  赤外線通信システム
１０２  移動端末
１０４  赤外線ゲートウエイ装置
１０６  接続回線
１０８  インターネット網
１１０  サーバ
２０２  送信信号作成手段
２０４  送信手段
２０６  アンテナ
２０８  受信手段
２１０  信号処理手段
３０２  アンテナ
３０４  受信手段
３０６  信号処理手段
３０８  通信手段
３１０  送信信号作成手段
３１２  送信手段
４０２  代理クライアント・マネジメント・プログラム
４０４  代理クライアント・プログラム
４０６  ＨＴＴＰ代理クライアント・プログラム
４０８  ＨＴＴＰＳ代理クライアント・プログラム
４１０  ＰＯＰ代理クライアント・プログラム
４１２  ＳＭＴＰ代理クライアント・プログラム
４１４  ＮＴＴＰ代理クライアント・プログラム
４１６  ＦＴＰ代理クライアント・プログラム
【図１】
2004165984.tif 000003
【図２】
2004165984.tif 000004
【図３】
2004165984.tif 000005
【図４】
2004165984.tif 000006
【図５】
2004165984.tif 000007